(57)【要約】【課題】強固な構造で載置される実験機器や計測機器などを安定的に支持できる棚板構造および棚板を備えた実験台を提供する。【解決手段】幅方向Ａに間隔をあけて立設する複数の棚板支持部材４，４…と、棚板支持部材４に支持される棚板５と、を備える棚板構造において、棚板５は、平板状の棚板本体６と、棚板本体６を棚板支持部材４に支持させるための棚板支持手段７と、を備え、棚板本体６のうち、幅方向Ａと交差する前後方向Ｂの後部側６２は、幅方向Ａに隣り合う棚板支持部材４，４間に配されていて、前後方向Ｂの前部側６１は、幅方向Ａの寸法が幅方向Ａに隣り合う棚板支持部材４，４間の寸法よりも大きく形成されて、棚板支持部材４の前端部よりも前方に配されている。【選択図】図１
2015047359.tif 000002
【特許請求の範囲】
【請求項１】
幅方向に間隔をあけて立設する複数の棚板支持部材と、
該棚板支持部材に支持される棚板と、を備える棚板構造において、
前記棚板は、平板状の棚板本体と、
該棚板本体を前記棚板支持部材に支持させるための棚板支持手段と、を備え、
前記棚板本体のうち、前記幅方向と交差する前後方向の後部側は、前記幅方向に隣り合う前記棚板支持部材間に配されていて、前記前後方向の前部側は、前記幅方向の寸法が前記幅方向に隣り合う前記棚板支持部材間の寸法よりも大きく形成されて、前記棚板支持部材の前端部よりも前方に配されていることを特徴とする棚板構造。
【請求項２】
前記棚板支持手段は、前記棚板支持部材に固定され該棚板支持部材から前方に突出し前記棚板本体の前記前部側を支持する第１ブラケットと、前記棚板支持部材に固定され該棚板支持部材から幅方向に突出し前記棚板本体の前記後部側を支持する第２ブラケットと、を有することを特徴とする請求項１に記載の棚板構造。
【請求項３】
前記棚板本体は、後端部が前記棚板支持部材の後端部よりも前方に配置されて、前記棚板本体の後方には、前記棚板本体上に載置された機器の配線を垂下させるための配線挿通空間が形成されていることを特徴とする請求項１又は２に記載の棚板構造。
【請求項４】
作業平面を形成する天板部と、
該天板部を支持する支持脚と、
前記天板部に幅方向に間隔をあけて立設する複数の棚板支持部材と、
該棚板支持部材に支持される棚板と、を備える棚板を備えた実験台において、
前記棚板は、平板状の棚板本体と、
該棚板本体を前記棚板支持部材に支持させるための棚板支持手段と、を備え、
前記棚板本体のうち、前記幅方向と交差する前後方向の後部側は、前記幅方向に隣り合う前記棚板支持部材間に配されていて、前記前後方向の前部側は、前記幅方向の寸法が前記幅方向に隣り合う前記棚板支持部材間の寸法よりも大きく形成されて、前記棚板支持部材の前端部よりも前方に配されていることを特徴とする棚板を備えた実験台。
【発明の詳細な説明】
【技術分野】
【０００１】
本発明は、物品を載置するための棚板構造および棚板を備えた実験台に関する。
【背景技術】
【０００２】
従来、オフィスや研究施設、病院、学校などの研究室や実験室では、研究内容や実験内容に応じて、多種多様な実験機器や計測機器などが使用されている。また、このような研究や実験の場においては、研究や実験の対象物を載置したり、研究や実験に伴う様々な作業や、研究結果や実験結果の記録やパーソナルコンピューターへ入力する作業を行ったりするための作業平面が必要とされている。
【０００３】
このため、研究や実験の対象物を載置したり各種作業を行ったりするための天板（作業平面）と、天板よりも上方に設けられて実験機器や計測機器などを載置可能な棚板とを備える実験台が知られている（例えば、特許文献１参照）。
このような実験台を使用すると、実験機器や計測機器の表示画面を確認しやすいとともに、作業平面を確保できるため、研究や実験の作業効率を高めることができる。
【先行技術文献】
【特許文献】
【０００４】
【特許文献１】特開２０１０−１７８８８４号公報
【発明の概要】
【発明が解決しようとする課題】
【０００５】
ところで、実験機器や計測機器などには重量が重いものが多いため、実験機器や計測機器などが載置される棚板は、強固な構造でかつ実験機器や計測機器などを安定的に支持できる構造であることが望まれている。
【０００６】
本発明は、上述する事情に鑑みてなされたもので、強固な構造で載置される実験機器や計測機器などを安定的に支持できる棚板構造および棚板を備えた実験台を提供することを目的とする。
【課題を解決するための手段】
【０００７】
上記目的を達成するため、本発明に係る棚板構造は、幅方向に間隔をあけて立設する複数の棚板支持部材と、該棚板支持部材に支持される棚板と、を備える棚板構造において、前記棚板は、平板状の棚板本体と、該棚板本体を前記棚板支持部材に支持させるための棚板支持手段と、を備え、前記棚板本体のうち、前記幅方向と交差する前後方向の後部側は、前記幅方向に隣り合う前記棚板支持部材間に配されていて、前記前後方向の前部側は、前記幅方向の寸法が前記幅方向に隣り合う前記棚板支持部材間の寸法よりも大きく形成されて、前記棚板支持部材の前端部よりも前方に配されていることを特徴とする。
【０００８】
また、本発明に係る棚板を備えた実験台では、作業平面を形成する天板部と、該天板部を支持する支持脚と、幅方向に間隔をあけて立設する複数の棚板支持部材と、該棚板支持部材に支持される棚板と、を備える棚板を備えた実験台において、前記棚板は、平板状の棚板本体と、該棚板本体を前記棚板支持部材に支持させるための棚板支持手段と、を備え、前記棚板本体のうち、前記幅方向と交差する前後方向の後部側は、前記幅方向に隣り合う前記棚板支持部材間に配されていて、前記前後方向の前部側は、前記幅方向の寸法が前記幅方向に隣り合う前記棚板支持部材間の寸法よりも大きく形成されて、前記棚板支持部材の前端部よりも前方に配されていることを特徴とする。
【０００９】
本発明では、棚板本体の後部側は、幅方向に隣り合う棚板支持部材間に配されていて、棚板本体の前部側は、幅方向の寸法が幅方向に隣り合う棚板支持部材間の寸法よりも大きく形成されて、前記棚板支持部材の前端部よりも前方に配されているため、棚板支持部材に対して棚板本体が大きく形成されている。そして、棚板本体の前部側と後部側とは、幅方向の寸法が異なるが一体に形成されていることにより、棚板本体が強固な構造であるとともに、棚板本体に載置された機器類などの物品を安定的に支持することができる。
また、棚板本体は、前部側と後部側とが一体に形成されていることにより、前部側と後部側とが別々に形成されている棚板本体と比べて、棚板本体を棚板支持部材に取り付けたり外したりする際に、前部側と後部側とを別々に取り付けたり外したりせずに、一度に取り付けたり外したりすることができて、手間を軽減させることができる。
【００１０】
また、本発明に係る棚板構造では、前記棚板支持手段は、前記棚板支持部材に固定され該棚板支持部材から前方に突出し前記棚板本体の前記前部側を支持する第１ブラケットと、前記棚板支持部材に固定され該棚板支持部材から幅方向に突出し前記棚板本体の前記後部側を支持する第２ブラケットと、を有することが好ましい。
【００１１】
このようにすることにより、第１ブラケットにより棚板本体の前部側が棚板支持部材に支持され、第２ブラケットにより棚板本体の後部側が棚板支持部材に支持されるため、棚板本体を棚板支持部材に確実に支持させることができる。これにより、棚板本体は、棚板本体に載置された機器類などの物品をより安定的に支持することができる。
特に、棚板本体の後部側のみが棚板支持部材に支持される片持ち構造の棚板と比べて、物品をより安定的に支持することができる。
【００１２】
また、本発明に係る棚板構造では、前記棚板本体は、後端部が前記棚板支持部材の後端部よりも前方に配置されて、前記棚板本体の後方には、前記棚板本体上に載置された機器の配線を垂下させるための配線挿通空間が形成されていることが好ましい。
【００１３】
このようにすることにより、棚板本体上に配線を有する機器が載置された場合に、この機器の配線が棚板の後方に垂下されるため、配線がまとめられて美観が向上するとともに、使い勝手を良くすることができる。
【発明の効果】
【００１４】
本発明によれば、棚板本体の後部側は、幅方向に隣り合う棚板支持部材間に配されていて、棚板本体の前部側は、幅方向の寸法が幅方向に隣り合う棚板支持部材間の寸法よりも大きく形成されて、前記棚板支持部材の前端部よりも前方に配されているため、棚板支持部材に対して棚板本体が大きく形成されている。そして、棚板本体の前部側と後部側とは、幅方向の寸法が異なるが一体に形成されていることにより、棚板本体が強固な構造であるとともに、棚板本体に載置された機器類などの物品を安定的に支持することができる。
また、棚板本体は、前部側と後部側とが一体に形成されていることにより、前部側と後部側とが別々に形成されている棚板本体と比べて、棚板本体を棚板支持部材に取り付けたり外したりする際に、前部側と後部側とを別々に取り付けたり外したりせずに、一度に取り付けたり外したりすることができて、手間を軽減させることができる。
【図面の簡単な説明】
【００１５】
【図１】本発明の第１実施形態による実験台の一例を示す図である。
【図２】（ａ）は第１ブラケットおよび第２ブラケットが棚板支持部材に取り付けられている様子を示す図、（ｂ）は棚板支持部材に棚板が取り付けられている様子を示す図である。
【図３】（ａ）は棚板の上面図、（ｂ）は棚板の側面図である。
【図４】（ａ）第１ブラケットの斜視図、（ｂ）は棚板支持部材に取り付けられた第１ブラケットを示す図である。
【図５】（ａ）は第２ブラケットの斜視図、（ｂ）は棚板支持部材に取り付けられた第２ブラケットを示す図である。
【図６】第２実施形態による実験台の一例を示す図である。
【図７】（ａ）は棚板後端部取り付け部材の第１の取り付け方を示す図、（ｂ）は棚板後端部取り付け部材の第２の取り付け方を示す図である。
【発明を実施するための形態】
【００１６】
（第１実施形態）
以下、本発明の第１実施形態による棚板構造および棚板を備えた実験台について、図１乃至図５に基づいて説明する。
図１に示すように、本実施形態による実験台１Ａは、実験台１Ａが設置される床面上に幅方向（図中の矢印Ａの方向）に所定の間隔をあけて立設された複数の支持脚２，２…と、複数の支持脚２，２…によって床面の上方の所定の高さに支持されてその上面が作業平面Ｓとなる天板部３と、天板部３の上に幅方向Ａに間隔をあけて立設する複数の棚板支持部材４と、棚板支持部材４に支持される棚板５とを備えている。
また、棚板本体６は、平板状の棚板本体６と、棚板本体６を棚板支持部材４に支持させるための棚板支持手段７と、を備えている。
ここで、幅方向Ａとは、天板部３および棚板本体６の幅方向とし、この幅方向Ａに直交する水平方向を前後方向（図中の矢印Ｂの方向）として以下説明する。
【００１７】
支持脚２として、天板部３の幅方向Ａの両端部に一対の支持脚２１，２１が設けられているのに加え、天板部３の幅方向Ａの中間部に補助支持脚（支持脚）２２が設けられている。この補助支持脚２２は、前後方向Ｂの長さが、支持脚２１よりも短く、補助支持脚２２の前端部２２ａが天板部３の前端部３ａよりも後方に配されている。これにより、天板部３の幅方向Ａの中間部においては、天板部３の荷重を支持しつつ、実験台１の利用者の脚等と干渉しないようになっている。
ここで、支持脚２としては、様々な形状の支持脚や、引き出しを備えた袖箱等を採用できる。また、補助支持脚２２を備えず、一対の支持脚２１，２１のみ設けてもよいし、支持脚２１を３つ以上備えていてもよい。
【００１８】
また、一対の支持脚２１，２１の後端部２１ｂに架け渡すように、床面に直交し、天板部３の下方の空間の少なくとも一部を塞ぐ幕板２３が設けられていてもよい。この幕板２３は、天板部３の下方の空間を、床面近傍まで覆うように設けても良いし、互いに一対の支持脚２１，２１と補助支持脚２２との間に掛け渡されたバー（棒）状のものとすることもできる。
【００１９】
天板部３は、一対の支持脚２１，２１と補助支持脚２２との間に架け渡された平面視矩形の天板本体３１と、天板本体３１の後端部３１ｂの後方に設けられた配線収容部３２と、電源コンセント接続部３３と、を備えている。すなわち、天板本体３１は、後端部３１ｂが、天板部３の後端部３ｂよりも所定寸法前方に位置するよう設けられている。
配線収容部３２は、一対の支持脚２１，２１と補助支持脚２２との間に、前後方向Ｂに間隔を隔てて配置された一対の連結板３２Ａ，３２Ｂと、連結板３２Ａ，３２Ｂの下端部間に架け渡された底板３２Ｃと、を備えている。
【００２０】
このようにして、天板本体３１の後方には、連結板３２Ａ，３２Ｂと底板３２Ｃとによって略Ｕ字状に囲まれて、天板本体３１の後端部３１ｂに沿って天板部３の幅方向Ａに連続し、配線を収容可能な配線収容部３２が形成されている。この配線収容部３２は、上方に向けて開口した開口部３４を有している。そして、配線収容部３２は、開口部３４を開閉可能な蓋体３５を備えている。
【００２１】
棚板支持部材４は、天板部３の後端部３ｂの上面に設けられていて、一対の支持脚２１，２１と補助支持脚２２のそれぞれの鉛直上方に設けられている。この棚板支持部材４は、天板部３から鉛直上方に延びるように設けられている。
棚板支持部材４は、例えば、薄型鋼板を上下方向に延びる角筒状に形成した筒状部材４１と、筒状部材４１の上端部を塞ぐ蓋部材４２とを有している。筒状部材４１は、水平断面において外形が前後方向Ｂに長い略長方形状に形成されている。
また、図１および図２に示すように、筒状部材４１には、前面４１ａに上下方向に延びる溝部４５が形成されている。
なお、筒状部材４１の内部には、棚板支持部材４の剛性を保持するために所望の形状の板材などが設けられていてもよい。
また、蓋部材４２は、筒状部材４１と一体に形成されていてもよいし、筒状部材４１の上端部に着脱可能に設けられていてもよい。
【００２２】
本実施形態では、図１に示すように、一対の支持脚２１，２１の鉛直上方には、棚板支持部材４として、それぞれ１つの筒状部材４１および蓋部材４２が設けられていて、補助支持脚２２の鉛直上方には、幅方向Ａに連結された２つの棚板支持部材４Ａ，４Ａとして、幅方向Ａに連結された２つの筒状部材４１，４１および蓋部材４２，４２が設けられている。
【００２３】
棚板支持部材４には、前面４ａに形成された溝部４５に沿って上下方向に間隔を隔てて複数の第１棚板係止孔４３，４３…が形成され、幅方向Ａを向く側面４ｃに、上下方向に間隔を隔てて複数の第２棚板係止孔４４，４４…が形成されている。なお、図１には、棚板支持部材４の一部しか第１棚板係止孔４３，４３…が示されていないが、第１棚板係止孔４３，４３…および第２棚板係止孔４４，４４…は、棚板支持部材４の略全高さにわたって上下方向に間隔を隔てて形成されている。
【００２４】
第１棚板係止孔４３および第２棚板係止孔４４は、棚板支持部材４の筒状部材４１を構成する薄型鋼板に形成された孔部であり、筒状部材４１の内部と外部とを連通させている。
ここで、一対の支持脚２１，２１の鉛直上方にそれぞれ設けられた棚板支持部材４，４には、互いに対向する側面４ｃ，４ｃに第２棚板係止孔４４，４４…が形成され、補助支持脚の鉛直上方に設けられた棚板支持部材４には幅方向Ａの両側面４ｃ，４ｃに第２棚板係止孔４４，４４…が形成されている。
第１棚板係止孔４３は、後述する棚板支持手段７の第１ブラケット７１の第１係止フック７４，７４が挿入可能に構成され、第２棚板係止孔４４は、後述する棚板支持手段７の第２ブラケット８１の第１係止部８２が挿入可能に構成されている。
【００２５】
図３に示すように、棚板本体６は、面方向を水平面とする板状に形成され、前後方向Ｂの前部側６１と後部側６２とから構成されている。これらの前部側６１と後部側６２とは一体に形成されている。
棚板本体６は、薄鋼板などで形成されて上下方向に所定の間隔をあけて配された上板部材６３および下板部材６４と、上板部材６３および下板部材６４の縁部を連結するように配された側板部材６５とを有していて、内部に空間を有する箱状に形成されている、なお、棚板本体６の内部には、棚板本体６の剛性を保持するために所望の形状の板材などが設けられていてもよい。
【００２６】
棚板本体６の後部側６２は、幅方向Ａの両端部に切欠き部６６，６６が形成されていて、前部側６１よりも幅方向Ａの寸法が小さくなるように形成されている。
そして、棚板本体６の後部側６２の幅方向Ａの寸法は、隣り合う棚板支持部材４，４（図１参照）の寸法とほぼ同じ寸法となるように構成されている。
また、棚板本体６の前部側６１の幅方向Ａの寸法は、隣り合う棚板支持部材４，４間の寸法よりも大きい寸法となるように形成されている。
【００２７】
このような棚板本体６は、棚板支持部材４，４間に設置されるときには、切欠き部６６，６６が棚板支持部材４，４と嵌合し、後部側６２が棚板支持部材４，４の間に配されて、前部側６１が棚板支持部材４よりも前方に配されるように構成されている。また、棚板本体６は、棚板支持部材４，４間に設置されると、後端部６ｄが棚板支持部材４，４の後端部４ｄよりも前方に配されている。これにより、棚板本体６の後方に、棚板本体６上に載置した機器類の配線を垂下させる配線挿通空間Ｓｈ（図２（ｂ）参照）が形成されている。
なお、配線挿通空間Ｓｈを垂下する配線は、天板部３の開口部３４を介して配線収容部３２に収容され、天板部３の上面に載置された機器類の配線は、電源コンセント接続部３３に接続されることが好ましい。
【００２８】
また、棚板本体６の下板部材６４には、前部側６１の両端部６１ａ，６１ａ近傍に、後述する第１ブラケット７１の第２係止フック７５が挿入可能な一対の第１孔部６７，６７と、後述する第１ブラケット７１の棚板係止片７６が挿入可能な一対の第２孔部６８，６８とが形成され、後部側６２の両端部６２ａ，６２ａ近傍に、後述する第２ブラケット８１の第２係止部８３が挿入可能な一対の第３孔部６９，６９が形成されている。
また、棚板本体６の上板部材６３には、棚板本体６の上部に載置された機器類を固定するバンドを係止可能な第４孔部６３ａが複数形成されている。
【００２９】
図１および図２に示すように、棚板支持手段７は、棚板本体６の前部側６１を支持する第１ブラケット７１と、棚板本体６の後部側６２を支持する第２ブラケット８１とから構成されている。
図４に示すように、第１ブラケット７１は、鋼板を加工して形成されていて、棚板支持部材４（図１参照）に取り付けられたときに、その面が幅方向Ａに直交する鉛直面となり上端部６１ａが水平となる鉛直板部７２と、鉛直板部７２と一体に形成され鉛直板部７２の上端部６１ａから幅方向Ａのいずれか一方に延びてその面が水平面となる水平板部７３と、鉛直板部７２と一体に形成され鉛直板部７２の後端部７２ｂから後方に突出し棚板支持部材４の第１棚板係止孔４３にそれぞれ挿入可能な４つの第１係止フック７４，７４…と、水平板部７３と一体に形成され水平板部７３の上面から上方に突出し棚板本体６の第１孔部６７に挿入可能な第２係止フック７５と、棚板本体６の第２孔部６８に挿入可能な棚板係止片７６と、を有している。
【００３０】
鉛直板部７２は、前側から後側に向かってその高さが漸次高くなるように形成されている。また、鉛直板部７２の７２ｂ後端部の上部側には切欠き部７７が形成されていて、水平板部７３は、切欠き部７７よりも前方に設けられている。
切欠き部７７の前後方向Ｂの寸法は、棚板支持部材４の溝部４５の深さとほぼ同じとなるように形成されていて、第１ブラケット７１が棚板支持部材４に取り付けられたときに切欠き部７７を含む鉛直板部７２の後部側は、棚板支持部材４の溝部４５に入り込むように構成されている。
【００３１】
第１係止フック７４は、鉛直板部７２の後端部７２ｂから後方へ突出する第１片７４ａと、第１片７４ａの後端部から下方へ突出する第２片７４ｂとを有している。そして、鉛直板部７２の後端部７２ｂと、第１係止フック７４の第１係止フック７４の第１片７４ａおよび第２片７４ｂとに囲まれた空部７８が形成されている。
また、第１係止フック７４のうち、一番上側に設けられている上側第１係止フック７４Ａは、切欠き部７７のすぐ下に形成されていて、第１片７４ａの後端部から上方に突出する第３片７４ｃが設けられている。ここで、第１係止フック７４のうち、一番上側に設けられている上側第１係止フック７４Ａ以外の第１係止フック７４を、下側第１係止フック７４Ｂとして以下説明する。
【００３２】
第２係止フック７５は、水平板部７３の鉛直板部７２と連続する側と反対側の端部７３ａから上方に突出する第１片７５ａと、第１片７５ａの上端部から前方に突出する第２片７５ｂとを有している。そして、水平板部７３の端部７３ａと、第２係止フック７５の第１片７５ａと第２片７５ｂとに囲まれた空部７９が形成されている。
【００３３】
棚板係止片７６は、水平板部７３の一部を略Ｃ字状に切り込み、この切り込まれた部分を鉛直面における断面形状が略Ｌ字状となるように分岐させて形成されている。棚板係止片７６は、水平板部７３から上方へ突出する第１片７６ａと、第１片７６ａの上端部から前方へ突出する第２片７６ｂと、を有している。そして、棚板係止片７６の第２片７５ｂと水平板部７３とは上下方向に離間している。
【００３４】
図５に示すように、第２ブラケット８１は、鋼板を加工して形成されていて、棚板支持部材４に係止される第１係止部８２と、第１係止部８２と一体に形成されて棚板本体６を係止する第２係止部８３と、を備えている。
第１係止部８２は、断面形状が略Ｌ字状に形成されていて、略Ｌ字を構成する一方の第１板部８２ａが棚板支持部材４の第２棚板係止孔４４に挿入可能に構成され、他方の第２板部８２ｂが第２係止部８３と連結している。第１係止部８２の第１板部８２ａと第２板部８２ｂとは断面形状において鋭角をなすように連結している。
【００３５】
第２係止部８３は、断面形状が略Ｃ字状に形成されていて、第２ブラケット８１が棚板支持部材４に固定されたときに略水平となる水平板部８３ａと、該水平板部８３ａの両端部から上方へ延びる一対の鉛直板部８３ｂ，８３ｃとを有している。一対の鉛直板部８３ｂ，８３ｃのうち一方の鉛直板部８３ｂは、上端部が第１係止部８２の第２板部８２ｂの縁端部と連結していて、他方の鉛直板部８３ｃは、棚板本体６の第２棚板係止孔４４に挿入可能に構成されている。
第１係止部８２の第２板部８２ｂと一方の鉛直板部８３ｂとは略直角をなすように連結されている。
【００３６】
続いて、第１ブラケット７１および第２ブラケット８１を用いた棚板本体６の棚板支持部材４への取付方法を説明する。
まず、図４（ａ）に示すように、取り付けられる棚板本体６の両側に位置する棚板支持部材４，４へ、第１ブラケット７１および第２ブラケット８１を取り付ける。
第１ブラケット７１を棚板支持部材４に取り付けるには、図２および図４（ｂ）に示すように、第１ブラケット７１の第１係止フック７４，７４…を、棚板支持部材４の第１棚板係止孔４３に挿入する。
このとき、第１係止フック７４の各空部７８に棚板支持部材４の前面の鋼板が入り込むようにして第１係止フック７４を棚板支持部材４に引っ掛けることで、第１ブラケット７１が棚板支持部材４に固定される。
【００３７】
続いて、第２ブラケット８１を棚板支持部材４に取り付けるには、図５（ｂ）に示すように、第１係止部８２の第１板部８２ａを棚板支持部材４の第２棚板係止孔４４に挿入する。そして、第１板部８２ａの上端部を棚板支持部材４の内側から棚板支持部材４の筒状部材４１を構成する鋼板に当接させるとともに、一方の鉛直板部８３ｂを棚板支持部材４の筒状部材４１を構成する鋼板に外側から当接させる。これにより、第２ブラケット８１は、棚板支持部材４に引っ掛けられた状態となり、棚板支持部材４に固定される。
このとき、第２ブラケット８１の第１板部８２ａの上端部が棚板支持部材４の内側から棚板支持部材４の筒状部材４１を構成する鋼板に当接することで、第２ブラケット８１が回転することが防止される。
このようにして図２（ａ）に示すように、棚板支持部材４に第１ブラケット７１および第２ブラケット８１が取り付けられる。
【００３８】
続いて、第１ブラケット７１および第２ブラケット８１の上部に棚板本体６を設置する。
図２（ｂ）に示すように、第１ブラケット７１に対し、前方から棚板本体６をすべり込ませて棚板本体６の第１孔部６７に第１ブラケット７１の第２係止フック７５を挿入させるとともに、棚板本体６の第２孔部６８に第１ブラケット７１の棚板係止片７６を挿入させる。また、第２ブラケット８１の第２係止部８３の上部に棚板本体６を載せて、第２ブラケット８１の第２係止部８３の一方の鉛直板部８３ｂを棚板本体６の第３孔部６９に挿入させる。
これにより、棚板本体６は、第１ブラケット７１および第２ブラケット８１に係止された状態となり、棚板支持部材４に所定の高さに支持される。
なお、第１ブラケット７１および第２ブラケットにより棚板本体６が棚板支持部材４に支持された後に、第１ブラケット７１の水平板部７３と棚板本体６とをネジ留めしてもよい。
【００３９】
次に、上述した第１実施形態による棚板構造の作用・効果について図面を用いて説明する。
第１実施形態による棚板構造によれば、棚板本体６の前部側と後部側とは、幅方向の寸法が異なるが一体に形成されていることにより、棚板本体６が強固な構造になるとともに、棚板本体６に載置される機器類を安定的に支持することができる。
また、棚板本体６は、前部側６１と後部側６２とが一体に形成されていることにより、棚板本体６の前部側６１と後部側６２が一体に形成されていない場合と比べて、容易に設置することができる。
また、棚板本体６の前部側６１を第１ブラケット７１で支持し、後部側６２を第２ブラケット８１で支持するため、棚板本体６が棚板支持部材に確実に支持されるため、棚板本体６に載置される機器類を安定的に支持することができる。
また、棚板本体６の後方には配線挿通空間Ｓｈが形成されていることにより、棚板本体６のに載置された機器類の配線が棚板本体６の後方にまとまって垂下し、下方の配線収容部に収容させることができるため、配線が散乱せずに使い勝手が良好であるとともに、美観を向上させることができる。
【００４０】
（第２実施形態）
次に、第２実施形態について、添付図面に基づいて説明するが、上述の第１実施形態と同一又は同様な部材、部分には同一の符号を用いて説明を省略し、第１実施形態と異なる構成について説明する。
図６に示すように、第２実施形態による実験台１Ｂは、天板部３Ｂが、２枚の天板本体３１，３１を、それぞれの天板本体３１，３１の後端部３１ｂどうしを対向させて備えている。そして、一方の天板本体３１Ａの後端部３１ｂと他方の天板本体３１Ｂの後端部３１ｂとの間に、配線収容部３２と、電源コンセント接続部３３とが設けられている。
より詳しくは、一方の天板本体３１Ａの後端部３１ｂと他方の天板本体３１Ｂの後端部３１ｂとの間に、一つの配線収容部３２が設けられ、それぞれの天板本体３１Ａ，３１Ｂの後端部３１ｂ、３１ｂと配線収容部３２との間に、それぞれ電源コンセント接続部３３，３３が設けられている。
【００４１】
このような実験台１Ｂにおいては、棚板支持部材４は、一方の天板本体３１Ａの上方に設ける棚板本体６と、他方の天板本体３１Ｂの上方に設ける棚板本体６とで、共用できるよう、一方の天板本体３１Ａと他方の天板本体３１Ｂとに跨るように設けられている。
そして、一方の天板本体３１Ａ側の棚板本体６の後端部６ｄと、他方の天板本体３１Ｂ側の棚板本体６の後端部６ｄとは、前後方向Ｂに間隔をあけて配置され、これによって、一方の棚板本体６と他方の棚板本体６との間に、配線挿通空間Ｓｈが形成される。
【００４２】
このような構成においても、天板部３の天板本体３１Ａ，３１Ｂのそれぞれの後方に、開口部３４を有した配線収容部３２と、電源コンセント接続部３３と、を備えることになる。したがって、上記第１実施形態と同様、棚板本体６上の機器類から垂れ下がる配線は、乱雑に垂れ下がるのではなく、例えばスダレのようにほぼ鉛直に垂下させることで、見た目を整然とさせることができ、美観を向上できる。
棚板本体６上に載置する機器類と、天板部１２上で用いる機器類とで、配線１００，１０１の接続先が異なるので、配線１００，１０１の接続作業を容易かつ円滑に行うことができる。
このようにして、棚板本体６上に機器類を設置した場合にも、美観や作業性を損なうのを防ぐことが可能となる。
【００４３】
また、第２実施形態では、棚板本体６の後端部６ｄに幅方向Ａに沿って延びる棚板後端部取り付け部材９が設けられている。
図７に示すように、棚板後端部取り付け部材９は、幅方向Ａを長手方向とする第１板部９１と、第１板部９１の短手方向の一方の端部９１ａから第１板部９１と直交する一方向に延びる第２板部９２と、第１板部９１の短手方向の他方の端部９１ｂから第１板部９１と直交する他方向に延びる第３板部９３とを有していて、長手方向に直交する断面形状が略Ｚ字状に形成されていている。
第１板部９１、第２板部９２および第３板部９３は、短手方向の寸法が棚板本体６の厚さ寸法と略同じ寸法となるように形成されている。
【００４４】
棚板後端部取り付け部材９は、棚板本体６に対して２通りの取り付け方があり、第１の取り付け方は、図７（ａ）に示すように、棚板後端部取り付け部材９を第１板部９１の面方向が水平方向となり、第２板部９２が第３板部よりも下側となる向きとし、第２板部９２を棚板本体６の後端面６ｃと当接させて棚板本体６に取り付ける。このとき、第１板部９１の上面を棚板本体６の上面と略同じ高さとなるようにして、第３板部９３を棚板本体６の上面よりも上方に突出させる。
【００４５】
このようにすることにより、棚板本体６に載置された機器１０が棚板本体６の後方に落下することを防止することができる。なお、第２板部９２の代わりに第３板部９３を棚板本体６の後端面６ｃに当接するように取り付けて、第２板部９２を棚板本体６の上面よりも上方に突出させてもよい。
【００４６】
そして、第２の取り付け方は、図７（ｂ）に示すように、棚板後端部取り付け部材９を第１板部９１の面方向が鉛直方向となり、第２板部９２が第３板部よりも下側となる向きとし、第１板部９１を棚板本体６の後端面６ｃと当接させ、第２板部９２を棚板本体６の下面６ｅと当接させて棚板本体６に取り付ける。このとき、第３板部９３の上面を棚板本体６の上面と略同じ高さとなるようにする。
【００４７】
このようにすることにより、第３板部９３が棚板本体６の載置面（上面）を後方に延長させることができる。そして、第２実施形態のように前後方向Ｂに棚板本体６が並んで設置されている場合には、前後方向Ｂに設置された棚板本体６，６間の隙間が小さくなるため、前後方向Ｂに設置された棚板本体６，６に渡すようにして１つの機器１０を載置させることができる。
なお、棚板後端部取り付け部材９が取り付けられている場合も、棚板後端部取り付け部材９の後方には配線挿通空間Ｓｈが形成される。  
【００４８】
第２実施形態による棚板構造によれば、第１実施形態による棚板構造と同様の効果を奏することができる。
また、棚板本体６の後端部６ｄに棚板後端部取り付け部材９が設けられていることにより、棚板後端部取り付け部材９の取り付け方によって、機器類が棚板本体６の後方へ落ちるのを防止したり、機器類を前後方向Ｂに設置された棚板本体６，６に渡すように設置したりすることができる。
また、棚板後端部取り付け部材９は、取り付け方を変えることで同一の部材で、機器類が棚板本体から落下することを防止する落ち止めとすることができたり、棚板間の間隔を小さくしたりすることができて、用途に合わせて使用することができる。
【００４９】
以上、本発明による棚板構造および棚板を備えた実験台の実施形態について説明したが、本発明は上記の実施形態に限定されるものではなく、その趣旨を逸脱しない範囲で適宜変更可能である。
例えば、上記の第２実施形態では、棚板本体６の後端部６ｄに棚板後端部取り付け部材９を取り付けているが、第１実施形態においても、棚板本体６の後端部６ｄに棚板後端部取り付け部材９を取り付けてもよい。
【００５０】
また、本実施形態では、上下２枚の棚板５，５が設置されているが、その設置枚数は限定するものではなく、１枚のみでもよいし、３枚以上としてもよい。
また、互いに隣接する棚板支持部材４，４間には、棚板５以外にも、例えばモニタディスプレイ等の物品を係止できるブラケットなどを取り付けてもよい。
また、本実施形態では、棚板支持手段７として、第１ブラケット７１と第２ブラケット８１とが設けられているが、第１ブラケット７１および第２ブラケット８１のいずれか一方が設けられていてもよい。
また、棚板支持手段７は、第１ブラケット７１および第２ブラケット８１に代わって、棚板支持部材４に取り付け可能なＬ字型のブラケットやダボなどとしてもよい。
また、上記の実施形態では、棚板本体６１の後方に、配線挿通空間Ｓｈが形成されているが、配線挿通空間Ｓｈは形成されていなくてもよい。
【符号の説明】
【００５１】
１Ａ，１Ｂ  実験台
２，２１  支持脚
３  天板部
４  棚板支持部材
５  棚板
６  棚板本体
７  棚板支持手段
９  棚板後端部取り付け部材
２２  補助支持脚
Ｓｈ  配線挿通空間
７１  第１ブラケット
８１  第２ブラケット
Ａ  幅方向
Ｂ  前後方向
【図１】
2015047359.tif 000003
【図２】
2015047359.tif 000004
【図３】
2015047359.tif 000005
【図４】
2015047359.tif 000006
【図５】
2015047359.tif 000007
【図６】
2015047359.tif 000008
【図７】
2015047359.tif 000009